(57)【要約】【課題】筐体から水が排出されている際に、筐体に水が供給され続けてしまうことを抑制することができるシスターンを提供する。【解決手段】本発明の一態様に係るシスターンは、上壁を有する筐体と、第１端を有する第１水位電極と、第２端を有する第２水位電極とを備える。上壁には、第１貫通孔と、第２貫通孔とが設けられる。上下方向に沿う第１方向における筐体の高さは、第２方向における筐体の幅及び第３方向における筐体の幅よりも小さい。筐体には、筐体に貯留された水を排出する排出口が設けられている。第１水位電極は、第１端が筐体の内部に位置するように第１貫通孔に挿通される。第２水位電極は、第２端が筐体の内部に位置するように第２貫通孔に挿通される。第１端は、第１方向において、第２端よりも上方かつ排出口よりも下方にある。第１端と排出口とを結んだ直線は、第１方向に直交する平面に対して、３°以上の角度をなす。【選択図】図１
2019143866.tif 000002
【特許請求の範囲】
【請求項１】
上壁を有する筐体と、
第１端を有する第１水位電極と、
第２端を有する第２水位電極とを備え、
前記上壁には、前記上壁を厚さ方向に貫通する第１貫通孔と、前記上壁を厚さ方向に貫通する第２貫通孔とが設けられ、
上下方向に沿う第１方向における前記筐体の高さは、前記第１方向に直交する平面にある第２方向における前記筐体の幅及び前記平面にあり、かつ前記第２方向に直交する第３方向における前記筐体の幅よりも小さく、
前記筐体には、前記筐体に貯留された水を排出する排出口が設けられ、
前記第１水位電極は、前記第１端が前記筐体の内部に位置するように前記第１貫通孔に挿通され、
前記第２水位電極は、前記第２端が前記筐体の内部に位置するように前記第２貫通孔に挿通され、
前記第１端は、前記第１方向において、前記第２端よりも上方かつ前記排出口よりも下方にあり、
前記第１端と前記排出口とを結んだ直線は、前記平面に対して３°以上の角度をなす、シスターン。
【請求項２】
前記筐体には、前記筐体内に水を戻す戻り接続口と、前記筐体内から水を送出する往き接続口とが設けられ、
前記筐体の内部には、一方端において前記戻り接続口に接続し、前記往き接続口に向かって延在し、かつ他方端において開口する流路が設けられ、
前記第１端は、前記第１方向において、前記他方端よりも上方にあり、
前記第１端と前記他方端とを結んだ直線は、前記平面に対して３°以上の角度をなす、請求項１に記載のシスターン。
【請求項３】
前記筐体には、前記筐体内に水を供給する補水口が設けられ、
前記第１水位電極及び前記第２水位電極は、前記第３方向において、前記排出口と前記補水口との間に配置される、請求項１に記載のシスターン。
【請求項４】
前記筐体は、前記上壁の下方にある底壁をさらに有し、
前記底壁は、前記上壁に向かって延在し、かつ前記第３方向において前記補水口と前記第１水位電極及び前記第２水位電極との間に位置する第１仕切り壁部を含む、請求項３に記載のシスターン。
【請求項５】
前記底壁は、前記上壁に向かって延在する第２仕切り壁部をさらに含み、
前記第３方向において、前記第２水位電極は、前記第１仕切り壁部と前記第２仕切り壁部との間に位置する、請求項４に記載のシスターン。
【請求項６】
請求項１〜請求項５のいずれか１項に記載の前記シスターンを備える、温水暖房装置。
【発明の詳細な説明】
【技術分野】
【０００１】
本発明は、シスターン及び温水暖房装置に関する。
【背景技術】
【０００２】
従来から、特許文献１（特開平６−３１８０号公報）に記載のシスターンが知られている。特許文献１に記載のシスターンにおいては、筐体と、オーバーフロー配管パイプと、低液位電極と、高液位電極とを有している。
【０００３】
筐体には、循環水が貯留される。筐体は、高さが幅よりも大きい直方体の箱状形状を有している。
【０００４】
低液位電極は、筐体に貯留されている循環水の水位が所定の水位（第１水位）以下であるかを検知する。高液位電極は、筐体に貯留されている循環水の水位が第１水位よりも高い所定の水位（第２水位）に達しているかを検知する。筐体に貯留されている循環水の水位が第１水位未満である場合、筐体への水の供給が開始され、筐体に貯留されている循環水の水位が第２水位に達した場合、筐体への水の供給が停止される。
【０００５】
オーバーフロー配管パイプは、一方端が筐体の内部に位置し、他方端が筐体の外部に位置するように取り付けられている。筐体に過剰に貯留された循環水は、オーバーフロー配管パイプを介して外部に排出される。
【先行技術文献】
【特許文献】
【０００６】
【特許文献１】特開平６−３１８０号公報
【発明の概要】
【発明が解決しようとする課題】
【０００７】
シスターンの筐体が傾斜した結果、オーバーフロー排出配管の一方端の位置が、鉛直方向において高液位電極の先端よりも下方に位置してしまう場合がある。このような場合、オーバーフロー配管から筐体に貯留されている循環水が排出されているにもかかわらず、高液位電極が筐体に貯留されている循環水の水位が第２水位に達していないと検知してしまうため、筐体に循環水が供給され続けてしまう。
【０００８】
このようなシスターンの筐体が傾斜することに伴う影響は、シスターンの筐体の幅が高さよりも大きくなるほど顕著になる。しかしながら、特許文献１に記載のシスターンの筐体は、上記のとおり、高さが幅よりも大きい形状となっているため、このようなシスターンの筐体が傾斜することに伴う影響は、考慮されていない。
【０００９】
本発明は、上記のような従来技術の問題点に鑑みてなされたものである。より具体的には、本発明は、シスターンの筐体から水が排出されている際に、筐体に水が供給され続けてしまうことを抑制することができるシスターン及び温水暖房装置を提供する。
【課題を解決するための手段】
【００１０】
本発明の一態様に係るシスターンは、上壁を有する筐体と、第１端を有する第１水位電極と、第２端を有する第２水位電極とを備える。上壁には、上壁を厚さ方向に貫通する第１貫通孔と、上壁を厚さ方向に貫通する第２貫通孔とが設けられる。上下方向に沿う第１方向における筐体の高さは、第１方向に直交する平面にある第２方向における筐体の幅及び第１方向に直交する平面にあり、かつ、第２方向に直交する第３方向における筐体の幅よりも小さい。筐体には、筐体に貯留された水を排出する排出口が設けられている。第１水位電極は、第１端が筐体の内部に位置するように第１貫通孔に挿通される。第２水位電極は、第２端が筐体の内部に位置するように第２貫通孔に挿通される。第１端は、第１方向において、第２端よりも上方かつ排出口よりも下方にある。第１端と排出口とを結んだ直線は、第１方向に直交する平面に対して、３°以上の角度をなす。
【００１１】
本発明のシスターンにおいては、第１端は、第１方向において、第２端よりも上方かつ排出口よりも下方にある。また、本発明のシスターンにおいては、第１端と排出口とを結んだ直線は、第１方向に直交する平面に対して３°以上の角度をなしている。そのため、本発明のシスターンにおいては、３°以下の角度で傾斜したとしても、第１端は、鉛直方向において、排出口よりも下方にある。その結果、本発明のシスターンにおいては、３°以下の角度で傾斜したとしても、筐体に貯留されている水が排出口から排出されている際に、第１水位電極は、筐体に貯留されている水の水位を検知している。そのため、本発明のシスターンによると、シスターンの筐体から水が排出されている際に、筐体に水が供給され続けてしまうことを抑制することができる。
【００１２】
上記のシスターンにおいて、筐体には、筐体内に水を戻す戻り接続口と、筐体内から水を送出する往き接続口とが設けられていてもよい。筐体の内部には、一方端において戻り接続口に接続し、往き接続口に向かって延在し、かつ他方端において開口する流路が設けられていてもよい。第１端は、第１方向において、他方端よりも上方にあってもよい。第１端と他方端とを結んだ直線は、第１方向に直交する平面に対して、３°以上の角度をなしていてもよい。
【００１３】
上記のシスターンにおいては、第１端は、第１方向において、流路の他方端よりも上方にある。また、上記のシスターンにおいては、第１水位電極と流路の他方端とを結んだ直線は、第１方向に直交する面に対して、３°以上の角度をなしている。そのため、上記のシスターンにおいては、３°以下の角度で傾斜したとしても、第１端は、鉛直方向において、流路の他方端よりも上方にある。その結果、上記のシスターンにおいては、３°以下の角度で傾斜したとしても、往き接続口の近傍に水が十分に貯留されていないにもかかわらず、筐体に水が供給されないという事態の発生を抑制できる。
【００１４】
上記のシスターンにおいて、筐体には、筐体内に水を供給する補水口が設けられていてもよい。第１水位電極及び第２水位電極は、第３方向において、排出口と補水口との間に配置されていてもよい。
【００１５】
上記のシスターンにおいて、筐体は、底壁をさらに有していてもよい。底壁は、上壁の下方にある。底壁は、上壁に向かって延在し、かつ、第３方向において補水口と第１水位電極及び第２水位電極との間に位置する第１仕切り壁部を含んでいてもよい。
【００１６】
補水口から筐体内に水が供給される際、筐体に貯留されている水の水面が波立つことがある。このような水位の波立ちは、第１水位電極及び第２水位電極での誤検知の原因となりうる。第１仕切り壁が第３方向において補水口と第１水位電極及び第２水位電極との間にある場合には、このような水面の波立ちが、第１端及び第２端の直下の水面に伝播しにくくなる。その結果、この場合には、第１水位電極及び第２水位電極における誤検知を抑制することができる。
【００１７】
上記のシスターンにおいて、底壁は、上壁に向かって延在する第２仕切り壁部をさらに含んでいてもよい。第３方向において、第２水位電極は、第１仕切り壁部と第２仕切り壁部との間に位置していてもよい。
【００１８】
第１水位電極によって検知される水位は、第２水位電極によって検知される水位よりも高いため、筐体に貯留されている水位が第１水位電極によって検知される水位よりも高い場合には、第１水位電極による検知は、本来常に生じている。しかしながら、筐体に貯留されている水の水面が波立つと、第１水位電極が水面を検知しているにもかかわらず、第２水位電極が水面を検知していないという、本来ありえないはずの誤検知が生じてしまうおそれがある。第２水位電極が第１仕切り壁と第２仕切り壁との間に位置している場合には、筐体に貯留されている水の水面の波立ちが、第２端直下の水面にさらに伝播しにくくなる。その結果、この場合には、上記のような本来ありえないはずの誤検知の発生を抑制することができる。
【００１９】
本発明の一態様に係る温水暖房装置は、上記のシスターンを備える。本発明の一態様に係る温水暖房装置によると、シスターンの筐体から水が排出されている際に、筐体に水が供給され続けてしまうことを抑制することができる。
【発明の効果】
【００２０】
本発明の一態様に係るシスターン及び温水暖房装置によると、シスターンの筐体から水が排出されている際に、筐体に水が供給され続けてしまうことを抑制することができる。
【図面の簡単な説明】
【００２１】
【図１】実施形態に係る温水暖房装置の構成を示す模式図である。
【図２】筐体１０の斜視図である。
【図３】シスターン１の斜視図である。
【図４】シスターン１の上面図である。
【図５】シスターン１の正面図である。
【図６】シスターン１の底面図である。
【図７】図４のＶＩＩ−ＶＩＩにおける断面図である。
【図８】図４のＶＩＩＩ−ＶＩＩＩにおける断面図である。
【図９】図４のＩＸ−ＩＸにおける模式的な断面図である。
【図１０】図４のＸ−Ｘにおける模式的な断面図である。
【図１１】シスターン１が傾斜した場合の第１端１２ａと排出口１１ｈとの位置関係を示す模式図である。
【図１２】シスターン１が傾斜した場合の第１端１２ａと第１端１１ｋｂとの位置関係を示す模式図である。
【発明を実施するための形態】
【００２２】
本発明の実施形態を、図面を参照しながら説明する。なお、以下の図面においては、同一又は相当する部分に同一の符号を付し、重複する説明は繰り返さない。
【００２３】
（実施形態に係る温水暖房装置及びシスターン１の構成）
以下に、実施形態に係る温水暖房装置及びシスターン１の構成を説明する。
【００２４】
図１に示されるように、実施形態に係る温水暖房装置は、シスターン１と、燃焼ユニット２とを有している。実施形態に係る温水暖房装置は、さらに配管３ａ、配管３ｂ、配管３ｃ、配管３ｄ、配管３ｅ、配管３ｆ、配管３ｇ及び配管３ｈと、ポンプ４とを有している。シスターン１、燃焼ユニット２、配管３ａ〜配管３ｇ及びポンプ４は、筐体１０に収納されている。燃焼ユニット２は、一次熱交換器２１と、二次熱交換器２２と、バーナ２３とを有している。ポンプ４は、シスターン１に貯留されている水を、配管３ａ〜配管３ｇに沿って、図１中の矢印の方向に循環させる。
【００２５】
配管３ａの一方端には、シスターン１が接続されている。配管３ａの他方端には、上水道が接続されている。配管３ｂの一方端には、シスターン１が接続されている。配管３ｂの他方端には、配管３ｃの一方端及び配管３ｄの一方端が接続されている。配管３ｂの経路上には、ポンプ４が配置されている。
【００２６】
配管３ｃの他方端は、一次熱交換器２１が接続されている。配管３ｄの他方端は、低温暖房端末５１に接続されている。配管３ｅの一方端は、一次熱交換器２１に接続されている。配管３ｅの他方端は、高温暖房端末５２に接続されている。
【００２７】
配管３ｆの一方端は、分岐している。一方端において分岐している配管３ｆの一方は、低温暖房端末５１に接続されている。一方端において分岐している配管３ｆの他方は、高温暖房端末５２に接続されている。配管３ｆの他方端は、二次熱交換器２２に接続されている。配管３ｇの一方端は、二次熱交換器２２に接続されている。配管３ｇの他方端は、シスターン１に接続されている。
【００２８】
シスターン１には、配管３ａを介して水が供給される。シスターン１に貯留されている水は、配管３ｂ及び配管３ｃを介して一次熱交換器２１に供給される。一次熱交換器２１に供給された水は、バーナ２３からの燃焼ガスとの間で熱交換を行うことにより昇温される。一次熱交換器２１を通過した水は、配管３ｅを介して、高温暖房端末５２に供給される。高温暖房端末５２に供給された水は、暖房動作を行うことにより、温度が低下する。
【００２９】
高温暖房端末５２を通過した水は、配管３ｆを介して二次熱交換器２２に供給される。二次熱交換器２２に供給された水は、一次熱交換器２１と熱交換を行った後のバーナ２３からの燃焼ガスとの間で熱交換を行うことにより昇温される。二次熱交換器２２を通過した水は、配管３ｇを介してシスターン１に戻る。
【００３０】
シスターン１に戻った水は、配管３ｂ及び配管３ｄを介して、低温暖房端末５１に供給される。低温暖房端末５１に供給された水は、暖房動作を行うことにより、温度が低下する。低温暖房端末５１を通過した水は、配管３ｆを介して、二次熱交換器２２に供給される。二次熱交換器２２を通過した水は、配管３ｇを介して、再びシスターン１に戻る。
【００３１】
シスターン１に貯留されている水の量が過剰となった場合、シスターン１に貯留されている水は、配管３ｈを介して外部に排出される。
【００３２】
図２に示されるように、筐体１０は、天板１０ａと、底板１０ｂと、側板１０ｃと、側板１０ｄと、側板１０ｅと、側板１０ｆとを有している。天板１０ａと底板１０ｂとは、互いに対向している。側板１０ｃと側板１０ｅとは、互いに対向している。側板１０ｄと側板１０ｆとは、互いに対向している。
【００３３】
少なくとも側板１０ｃは、筐体１０から取り外し可能に構成されている。側板１０ｃを筐体１０から取り外すことにより、筐体１０が開口する。この開口を介して、筐体１０から温水暖房装置の構成部品を取り出し、又は筐体１０の内部に当該構成部品を収納することができる。なお、例えば側板１０ｃには、排気口１０ｃａが設けられている。排気口１０ｃａは、側板１０ｃを厚さ方向に貫通している。
【００３４】
天板１０ａから底板１０ｂに向かう方向を、第１方向ＤＲ１という。なお、第１方向ＤＲ１は、上下方向に沿っている。側板１０ｅから側板１０ｃに向かう方向を、第２方向ＤＲ２という。側板１０ｄから側板１０ｆに向かう方向を、第３方向ＤＲ３という。第２方向ＤＲ２及び第３方向ＤＲ３は、第１方向ＤＲ１に直交する平面にある。第２方向ＤＲ２及び第３方向ＤＲ３は、互いに直交している。
【００３５】
筐体１０は、幅Ｗ１と、幅Ｗ２とを有している。幅Ｗ１は、側板１０ｃと側板１０ｅとの間の距離である（筐体１０の第２方向ＤＲ２における幅である）。幅Ｗ２は、側板１０ｄと側板１０ｆとの間の距離である（筐体１０の第３方向ＤＲ３における幅である）。好ましくは、幅Ｗ１は、幅Ｗ２よりも大きい。
【００３６】
図３に示されるように、シスターン１は、筐体１１と、第１水位電極１２と、第２水位電極１３とを有している。
【００３７】
図４〜図６に示されるように、筐体１１は、上壁１１ａと、底壁１１ｂと、側壁１１ｃとを有している。底壁１１ｂは、上壁１１ａの下方にある。側壁１１ｃは、上壁１１ａ及び底壁１１ｂに連なっている。
【００３８】
筐体１１は、幅Ｗ３と、幅Ｗ４と、高さＨとを有している。幅Ｗ３は、第２方向ＤＲ２における筐体１１の幅である。幅Ｗ４は、第３方向ＤＲ３における筐体１１の幅である。高さＨは、第１方向ＤＲ１における筐体１１の高さである。高さＨは、第１方向ＤＲ１における上壁１１ａと底壁１１ｂとの距離の最大値である。高さＨは、幅Ｗ３及び幅Ｗ４よりも小さい（幅Ｗ３及び幅Ｗ４は、高さＨよりも大きい）。すなわち、筐体１１は、相対的に薄型の形状を有している。
【００３９】
図７に示されるように、上壁１１ａには、第１貫通孔１１ａａと、第２貫通孔１１ａｂとが設けられている。第１貫通孔１１ａａは、上壁１１ａを厚さ方向に貫通している。第２貫通孔１１ａｂは、上壁１１ａを厚さ方向に貫通している。
【００４０】
第１貫通孔１１ａａには、第１水位電極１２が挿通されている。第２貫通孔１１ａｂには、第２水位電極１３が挿通されている。第１水位電極１２は、第１端１２ａと、第３端１２ｂとを有している。第３端１２ｂは、第１端１２ａの反対側の端である。第２水位電極１３は、第２端１３ａと、第４端１３ｂとを有している。第４端１３ｂは、第２端１３ａの反対側の端である。第１水位電極１２及び第２水位電極１３は、第１方向ＤＲ１に沿って延在している。
【００４１】
第１端１２ａ及び第２端１３ａは、筐体１１の内部に配置されている。なお、「第１端１２ａ及び第２端１３ａが筐体１１の内部に配置されている」とは、第１端１２ａ及び第２端１３ａが上壁１１ａと底壁１１ｂとの間に位置していることをいう。第３端１２ｂ及び第４端１３ｂは、筐体１１の外部に配置されている。第１水位電極１２は、第２水位電極１３よりも短い。このことを別の観点からいえば、第１端１２ａは、第１方向ＤＲ１において第２端１３ａよりも上方にある。すなわち、第１端１２ａは、第２端１３ａよりも上壁１１ａに近い位置にある。
【００４２】
第１水位電極１２は、第１端１２ａが筐体１１に貯留されている水の水面との接触を開始した際に、筐体１１に貯留されている水が所定の水位（以下においては、「第１水位」という）に達していることを検知する。第２水位電極１３は、第２端１３ａが筐体１１に貯留されている水の水面との接触を開始した際に、筐体１１に貯留されている水が第１水位よりも低い所定の水位（以下においては、「第２水位」という）に達していることを検知する。
【００４３】
なお、実施形態に係る温水暖房装置は、筐体１１に貯留されている水の水位が第２水位よりも低い場合には、筐体１１への水の供給を開始するように制御される。他方で、実施形態に係る温水暖房装置は、筐体１１に貯留されている水の水位が第１水位に達した場合には、筐体１１への水の供給を停止するように制御される。
【００４４】
底壁１１ｂは、第１仕切り壁部１１ｂａと、第２仕切り壁部１１ｂｂとを有している。第１仕切り壁部１１ｂａは、底壁１１ｂから上壁１１ａに向かって突出している。平面視において（第１方向ＤＲ１に沿う方向からみて）、第１仕切り壁部１１ｂａは、第２方向ＤＲ２に沿って延在している。第１仕切り壁部１１ｂａは、第３方向ＤＲ３において、第１水位電極１２及び第２水位電極１３と補水口１１ｇとの間に配置されている。第１仕切り壁部１１ｂａは、第２方向ＤＲ２において、第１水位電極１２及び第２水位電極１３と対向するように配置される。
【００４５】
第２仕切り壁部１１ｂｂは、底壁１１ｂから上壁１１ａに向かって突出している。平面視において、第２仕切り壁部１１ｂｂは、第２方向ＤＲ２に沿って延在している。第２仕切り壁部１１ｂｂは、第３方向ＤＲ３において、第１仕切り壁部１１ｂａと離間しながら対向している。第１仕切り壁部１１ｂａと第２仕切り壁部１１ｂｂとの間には、第２水位電極１３が配置されている。
【００４６】
第１仕切り壁部１１ｂａは、上端（上壁１１ａ側の端）が第１端１２ａ及び第２端１３ａよりも上方に位置するように突出している。すなわち、第１仕切り壁部１１ｂａの上端は、第１端１２ａ及び第２端１３ａよりも上壁１１ａに近い位置にある。第２仕切り壁部１１ｂｂは、上端（上壁１１ａ側の端）が第１端１２ａ及び第２端１３ａよりも上方に位置するように突出している。すなわち、第２仕切り壁部１１ｂｂの上端は、第１端１２ａ及び第２端１３ａよりも上壁１１ａに近い位置にある。
【００４７】
図４に示されるように、筐体１１は、第１部分１１ｄと、第２部分１１ｅと、第３部分１１ｆとを有している。第２部分１１ｅ及び第３部分１１ｆは、第１部分１１ｄから第２方向ＤＲ２に沿って突出している。第２部分１１ｅ及び第３部分１１ｆは、第３方向ＤＲ３において、互いに離間している。
【００４８】
図４〜図６に示されるように、筐体１１には、補水口１１ｇと、排出口１１ｈと、戻り接続口１１ｉと、往き接続口１１ｊとが設けられている。補水口１１ｇ、排出口１１ｈ、戻り接続口１１ｉ及び往き接続口１１ｊは、筐体１１の内部と連通している。
【００４９】
補水口１１ｇは、配管３ａに接続されている。すなわち、補水口１１ｇから、筐体１１内に水が供給される。排出口１１ｈは、配管３ｈに接続されている。すなわち、排出口１１ｈから、筐体１１に貯留されている水が排出される。
【００５０】
排出口戻り接続口１１ｉは、配管３ｇに接続されている。すなわち、戻り接続口１１ｉから、暖房回路を循環した水が筐体１１内に戻る。往き接続口１１ｊは、配管３ｂに接続されている。すなわち、往き接続口１１ｊから、暖房回路を循環するように筐体１１内から水が送出される。
【００５１】
補水口１１ｇは、例えば、第２方向ＤＲ２における筐体１１の端部に配置されている。好ましくは、補水口１１ｇは、第２部分１１ｅに位置する側壁１１ｃに設けられている。排出口１１ｈは、例えば、第２方向ＤＲ２における筐体１１の端部に配置されている。好ましくは、排出口１１ｈは、第３部分１１ｆに位置する底壁１１ｂに設けられている。
【００５２】
第１水位電極１２及び第２水位電極１３は、第３方向ＤＲ３において、補水口１１ｇと排出口１１ｈとの間に配置されている。より具体的には、第３方向ＤＲ３における補水口１１ｇと排出口１１ｈとの間の領域を３つに等分した場合に（以下においては、補水口１１ｇ側の領域を「第１領域」といい、排出口１１ｈ側の領域を「第２領域」といい、「第１領域」と「第２領域」との間の領域を「第３領域」という）、第１水位電極１２及び第２水位電極１３は、第３領域に配置されることが好ましい。
【００５３】
戻り接続口１１ｉ及び往き接続口１１ｊは、例えば、補水口１１ｇ及び排出口１１ｈが設けられる側とは反対側に位置する筐体１１の端部に設けられている。好ましくは、戻り接続口１１ｉ及び往き接続口１１ｊは、第１部分１１ｄに位置する底壁１１ｂに設けられている。往き接続口１１ｊは、戻り接続口１１ｉよりも下方に位置していることが好ましい。
【００５４】
図８に示されるように、筐体１１の内部には、流路１１ｋが設けられている。流路１１ｋは、一方端１１ｋａと、他方端１１ｋｂとを有している。流路１１ｋは、一方端１１ｋａにおいて、戻り接続口１１ｉに接続されている。流路１１ｋは、一方端１１ｋａから、往き接続口１１ｊに向かって延在している。戻り接続口１１ｉから筐体１１内に戻ってきた水は、流路１１ｋを介して、往き接続口１１ｊの近傍に供給される。
【００５５】
図９に示されるように、第１端１２ａは、第１方向ＤＲ１において、排出口１１ｈよりも下方にある。ここで、「第１端１２ａが第１方向ＤＲ１において排出口１１ｈよりも下方にある」とは、第１方向ＤＲ１において、第１端１２ａが、最も上方に位置する排出口１１ｈの部分よりも下方に位置していることをいう。
【００５６】
第１端１２ａと排出口１１ｈとを結んだ直線Ｌ１（図４及び図９参照）と第１方向ＤＲ１に直交する平面とは、角度θ１をなしている。角度θ１は、例えば、３°以上である。角度θ１は、５°以上であってもよい。
【００５７】
図１０に示されるように、第１端１２ａは、第１方向ＤＲ１において、他方端１１ｋｂよりも上方にある。ここで、「第１端１２ａが第１方向ＤＲ１において他方端１１ｋｂよりも上方にある」とは、第１方向ＤＲ１において、第１端１２ａが、最も上方に位置する他方端１１ｋｂの部分よりも上方に位置していることをいう。
【００５８】
第１端１２ａと他方端１１ｋｂとを結んだ直線Ｌ２（図４及び図１０参照）と第１方向ＤＲ１に直交する平面とは、角度θ２をなしている。角度θ２は、例えば、３°以上である。角度θ２は、５°以上であってもよい。
【００５９】
（実施形態に係る温水暖房装置及びシスターン１の効果）
以下に、実施形態に係る温水暖房装置及びシスターン１の効果を説明する。
【００６０】
シスターン１が傾斜していない場合（第１方向ＤＲ１が鉛直方向と一致している場合）には、第１端１２ａは、鉛直方向において、排出口１１ｈよりも下方にある。そのため、排出口１１ｈから筐体１１内の水が排出されている際、第１水位電極１２は、筐体１１に貯留されている水の水位が第１水位以上であると検知している。したがって、シスターン１が傾斜していない場合には、筐体１１から水が排出されているにもかかわらず筐体１１に水が供給され続けてしまうという事態は生じない。
【００６１】
しかしながら、シスターン１が傾斜すると（第１方向ＤＲ１が鉛直方向に対して傾斜すると）、排出口１１ｈの鉛直方向における位置は相対的に低くなり、第１端１２ａの鉛直方向における位置は相対的に高くなる。図１１に示されるように、この傾斜を大きくしていくと、排出口１１ｈが、鉛直方向において、第１端１２ａよりも下方に位置するようになる。
【００６２】
排出口１１ｈが鉛直方向において第１端１２ａよりも下方に位置していると、排出口１１ｈから筐体１１内の水が排出されているにもかかわらず、第１水位電極１２は、筐体１１に貯留されている水の水位が第１水位未満であると検知するため、筐体１１へと水が供給され続けてしまう。
【００６３】
シスターン１においては、直線Ｌ１と第１方向ＤＲ１に直交する平面とのなす角度が、角度θ１以上とされている。そのため、シスターン１の傾斜がθ１以下である場合、鉛直方向において、第１端１２ａは、排出口１１ｈよりも下方に位置している。その結果、シスターン１の傾斜がθ１以下であれば、筐体１１に貯留されている水が排出口１１ｈから排出されている際に、第１水位電極１２は、筐体に貯留されている水の第１水位以上であると検知している。そのため、シスターン１によると、筐体１１から水が排出されている際に、筐体１１に水が供給され続けてしまうことを抑制することができる。
【００６４】
シスターン１が傾斜していない場合には、第１端１２ａは、鉛直方向において、他方端１１ｋｂよりも上方にある。そのため、他方端１１ｋｂに位置する流路１１ｋの開口を覆うところまで筐体１１に貯留されている水位が達していない際に、第１水位電極１２は、筐体１１に貯留されている水の水位が第１水位未満であると検知している。したがって、往き接続口１１ｊ近傍に貯留されている水が不足しているにもかかわらず、筐体１１への水の供給が停止されてしまうという事態は生じない。
【００６５】
なお、第１端１１ｋｂに設けられた流路１１ｋの開口を覆うところまで筐体１１に貯留されている水位が達していない場合には、戻り接続口１１ｉ及び流路１１ｋを介して筐体１１内へと水が戻る際に、筐体１１に貯留されている水の水面が波立ってしまうなどの問題が生じる。
【００６６】
シスターン１が傾斜すると、他方端１１ｋｂの鉛直方向における位置は相対的に高くなり、第１端１２ａの鉛直方向における位置は相対的に低くなる。この傾斜を大きくしていくと、図１２に示されるように、第１端１２ａが、鉛直方向において、他方端１１ｋｂよりも下方に位置するようになる。
【００６７】
第１端１２ａが他方端１１ｋｂよりも鉛直方向において下方に位置していると、他方端１１ｋｂに位置する流路１１ｋの開口を覆うところまで筐体１１に貯留されている水位が達していないにもかかわらず、第１水位電極１２は、筐体１１に貯留されている水の水位が第１水位以上であると検知するため、筐体１１への水の供給が停止されてしまう。
【００６８】
シスターン１においては、直線Ｌ２と第１方向ＤＲ１に直交する平面とがなす角度が、角度θ２以上とされている。そのため、シスターン１の傾斜がθ２以下である場合、第１端１２ａは、鉛直方向において、他方端１１ｋｂよりも上方に位置している。その結果、シスターン１の傾斜がθ２以下であれば、第１端１１ｋｂに設けられた流路１１ｋの開口を覆うところまで筐体１１に貯留されている水の水位が達していない際に、第１水位電極１２は、筐体１１に貯留されている水の第１水位未満であると検知している。そのため、シスターン１によると、往き接続口１１ｊの近傍に水が十分に貯留されていないにもかかわらず、筐体１１に水が供給されないという事態の発生を抑制することができる。
【００６９】
補水口１１ｇから筐体１１内に水が供給される際、筐体１１に貯留されている水の水面が波立つことがある。このような水位の波立ちは、第１水位電極１２及び第２水位電極１３での誤検知の原因となりうる。第１仕切り壁部１１ｂａが第３方向ＤＲ３において補水口１１ｇと第１水位電極１２及び第２水位電極１３との間にある場合には、このような水面の波立ちが、第１仕切り壁部１１ｂａで遮られることにより、第１端１２ａ及び第２端１３ａの直下の水面に伝播しにくくなる。その結果、この場合には、第１水位電極１２及び第２水位電極１３における誤検知を抑制することができる。
【００７０】
第１水位電極１２によって検知される水位は、第２水位電極１３によって検知される水位よりも高いため、筐体１１に貯留されている水位が第１水位電極１２によって検知される水位よりも高い場合には、第２水位電極１３による検知は、本来常に生じている。
【００７１】
しかしながら、筐体１１に貯留されている水の水面が波立つと、第１水位電極１２が水面を検知しているにもかかわらず、第２水位電極１３が水面を検知していないという本来はありえないはずの誤検知が生じてしまうおそれがある。第２水位電極１３が第１仕切り壁部１１ｂａと第２仕切り壁部１１ｂｂとの間に位置している場合には、筐体１１に貯留されている水の水面の波立ちが、第１仕切り壁部１１ｂａ及び第２仕切り壁部１１ｂｂで遮られることにより、第２端１３ａ直下の水面にさらに伝播しにくくなる。その結果、この場合には、上記のような本来ありえないはずの誤検知の発生を抑制することができる。
【００７２】
今回開示された実施形態は全ての点で例示であって、制限的なものではないと考えられるべきである。本発明の範囲は、上記した実施の形態ではなく、特許請求の範囲によって示され、特許請求の範囲と均等の意味、及び範囲内での全ての変更が含まれることが意図される。
【産業上の利用可能性】
【００７３】
上記の実施形態は、温水暖房装置及びシスターンに特に有利に適用される。
【符号の説明】
【００７４】
１  シスターン、１１  筐体、１１ａ  上壁、１１ａａ  第１貫通孔、１１ａｂ  第２貫通孔、１１ｂａ  第１仕切り壁部、１１ｂｂ  第２仕切り壁部、１１ｃ  側壁、１１ｄ  第１部分、１１ｅ  第２部分、１１ｆ  第３部分、１１ｇ  補水口、１１ｈ  排出口、１１ｉ  戻り接続口、１１ｊ  往き接続口、１１ｋ  流路、１１ｋａ  一方端、１１ｋｂ  他方端、１２  第１水位電極、１２ａ  第１端、１２ｂ  第３端、１３  第２水位電極、１３ａ  第２端、１３ｂ  第４端、２１  一次熱交換器、２２  二次熱交換器、２３  バーナ、５１  低温暖房端末、５２  高温暖房端末、２  燃焼ユニット、３ａ，３ｂ，３ｃ，３ｄ，３ｅ，３ｆ，３ｇ，３ｈ  配管、４  ポンプ、１０  筐体、１０ａ  天板、１０ｂ  底板、１０ｃ，１０ｄ，１０ｅ，１０ｆ  側板、１０ｃａ  排気口、ＤＲ１  第１方向、ＤＲ２  第２方向、Ｈ  高さ、Ｌ１，Ｌ２  直線、Ｐ  基準位置、Ｗ１，Ｗ２，Ｗ３，Ｗ４  幅。
【図１】
2019143866.tif 000003
【図２】
2019143866.tif 000004
【図３】
2019143866.tif 000005
【図４】
2019143866.tif 000006
【図５】
2019143866.tif 000007
【図６】
2019143866.tif 000008
【図７】
2019143866.tif 000009
【図８】
2019143866.tif 000010
【図９】
2019143866.tif 000011
【図１０】
2019143866.tif 000012
【図１１】
2019143866.tif 000013
【図１２】
2019143866.tif 000014